(57)【要約】【課題】エレベーター用のインターホン親機において、サージ電流からの保護を図り、また配線作業性を良好にする。【解決手段】後側ケース１１８には開口１３０が設けられ、その両側に第１サブ基板３２及び第２サブ基板３４が配置される。第１サブ基板３２及び第２サブ基板３４は、それぞれ、ｘ方向に離間した第１端子台６２，９０及び第２端子台６４，９２を有し、また、レセプタクル５６ａ，５８ａ，６０ａ，８０ａ及びバリスタ列７０，９８を有する。バリスタ列７０，９８はサージ電流を外部へ逃がす複数のバリスタにより構成される。配線空間１３６，１３８を利用して、開口１３０を通じて取り込まれた複数の外部信号線１４０ａ〜１４０ｄが配線される。【選択図】図５
2020031340.tif 000002
【特許請求の範囲】
【請求項１】
親機ケースと、
前記親機ケース内に設けられ、通話回路を含む電子回路を有するメイン基板と、
前記親機ケース内に設けられたサブ基板と、
を含み、
前記サブ基板は、
複数の第１端子を有する第１端子部と、
複数の第２端子を有し、前記第１端子部から離れて設けられた第２端子部と、
前記複数の第１端子と前記複数の第２端子とを並列接続する複数の接続線と、
前記第１端子部と前記第２端子部の並び方向において前記第１端子部の外側に設けられ、前記メイン基板からの複数の内部信号線を前記複数の接続線に接続するための接続部と、
前記並び方向において前記第２端子部の外側に設けられ、前記複数の接続線の内の少なくとも一部に接続された複数の保護素子からなり、サージ電流を外部へ逃がすための保護素子列と、
を含み、
前記第１端子部及び前記第２端子部の内の一方は、１又は複数のインターホン子機からの複数の外部信号線を接続するための端子部であり、
前記第１端子部及び前記第２端子部の内の他方は、他のインターホン親機からの複数の外部信号線を接続するための端子部であり、
前記第１端子部と前記第２端子部の間の空間が配線空間として機能する、
ことを特徴とするエレベーター用インターホン親機。
【請求項２】
請求項１記載のインターホン親機において、
前記親機ケースは前側ケース及び後側ケースにより構成され、
前記後側ケースに対して前記並び方向と直交する方向に並んだ第１サブ基板及び第２サブ基板が固定され、
前記第１サブ基板及び前記第２サブ基板は、それぞれ、前記第１端子部、前記第２端子部、前記接続部及び前記保護素子列を有し、
前記後側ケースは、前記第１サブ基板と前記第２サブ基板の間に外部信号線群を引き込むための開口を有し、
前記第１サブ基板における前記第１端子部と前記第２端子部の間の空間、及び、前記第２サブ基板における前記第１端子部と前記第２端子部の間の空間が、それぞれ配線空間として機能する、
ことを特徴とするエレベーター用インターホン親機。
【請求項３】
請求項２記載のインターホン親機において、
前記１又は複数のインターホン子機からの複数の外部信号線、及び、前記他のインターホン親機からの複数の外部信号線には、それぞれ、複数の共通線と複数の専用線とが含まれ、
前記第１サブ基板及び前記第２サブ基板の内の一方は、前記複数の共通線を接続するためのサブ基板であり、
前記第１サブ基板及び前記第２サブ基板の内の他方は、前記複数の専用線を接続するためのサブ基板である、
ことを特徴とするエレベーター用インターホン親機。
【請求項４】
請求項２記載のインターホン親機において、
前記第１サブ基板に設けられた前記保護素子列、及び、前記第２サブ基板に設けられた前記保護素子列は、それぞれ、前記並び方向に直交する方向に並んだ複数のバリスタによって構成される、
ことを特徴とするエレベーター用インターホン親機。
【請求項５】
請求項１記載のインターホン親機において、
前記複数の内部信号線は、前記メイン基板における前記並び方向の一方側から引き出され、前記親機ケース内を前記並び方向に横断した上で、前記サブ基板における前記並び方向の他方側に設けられた前記接続部へ導かれている、
ことを特徴とするエレベーター用インターホン親機。
【請求項６】
請求項１記載のインターホン親機において、
前記サブ基板には、前記接続部とは別に、選択的に接続される複数のレセプタクルが設けられ、
前記メイン基板からの所定の内部信号線が接続されたプラグが差し込まれるレセプタクルに応じて、前記電子回路に対してオンオフ信号が与えられる、
ことを特徴とするエレベーター用インターホン親機。
【発明の詳細な説明】
【技術分野】
【０００１】
本発明はエレベーター用インターホン親機に関し、特に、その内部構造に関する。
【背景技術】
【０００２】
エレベーター用インターホンは、エレベーターのかごの中に設置される子機（インターホン子機）と、管理人室等に設置される親機（インターホン親機）と、により構成される。親機に対して複数の子機が並列的に接続されることもある。あるいは、１又は複数の子機に対して複数の親機が並列的に接続されることもある。
【０００３】
例えば、子機は、呼出信号生成回路及び通話回路を有しており、親機は、応答信号生成回路及び通話回路を有している。かご内の呼出釦（非常呼出釦）が操作されると、子機において、呼出信号生成回路が呼出信号を生成し、それが親機に向けて出力される。親機において、呼出信号が入力されると、ブザーが鳴動し、その後、ハンドセットを持ち上げると共に、呼出信号を送出した子機（呼出子機）を選択する操作（選局操作）を行えば、親機から呼出子機へ応答信号が出力され、親機と呼出子機との間での通話が可能となる。応答信号は選局信号であり、それは子機内の通話回路を動作させる信号として機能する。なお、親機において、ブザーの鳴動後、ハンドセットを持ち上げれば、選局操作なしで、親機と呼出子機との間で直ちに通話が可能になるインターホンもある。
【０００４】
親機と子機は複数の信号線からなる信号線列により接続される。信号線列はエレベーターのかごから引き出されているケーブル束の一部を構成するものである。例えば、信号線列には、子機台数分の専用線、複数の共通線、複数の電源線等が含まれる。
【０００５】
なお、特許文献１、特許文献２及び特許文献３には、複数の端子台（端子部）を有するインターホン装置が開示されている。しかしながら、それらの文献に記載されたインターホン装置はエレベーター用ではない。それらの文献には複数の保護素子を設けることについては記載されていない。
【先行技術文献】
【特許文献】
【０００６】
【特許文献１】特開平９−６４５６３号公報
【特許文献２】特開２００３−１２５０８９号公報
【特許文献３】特開２０１１−２３３９８２号公報
【発明の概要】
【発明が解決しようとする課題】
【０００７】
落雷等に起因し、子機からの複数の信号線を介して、サージ電流（大電流）が親機に入り込んでくるおそれがある。親機の保護のためには、そのようなサージ電流を外部へ逃がすことが望まれる。一方、親機に対しては、上記のように、子機からの複数の信号線が接続され、場合によっては、他の親機からの複数の信号線も接続される。その接続作業を容易化することが望まれる。
【０００８】
本発明の目的は、サージ電流からの保護と複数の信号線の接続作業の容易化を図れるエレベーター用インターホン親機を提供することにある。
【課題を解決するための手段】
【０００９】
実施形態に係るインターホン親機は、親機ケースと、前記親機ケース内に設けられ、通話回路を含む電子回路を有するメイン基板と、前記親機ケース内に設けられたサブ基板と、を含み、前記サブ基板は、複数の第１端子を有する第１端子部と、複数の第２端子を有し、前記第１端子部から離れて設けられた第２端子部と、前記複数の第１端子と前記複数の第２端子とを並列接続する複数の接続線と、前記第１端子部と前記第２端子部の並び方向において前記第１端子部の外側に設けられ、前記メイン基板からの複数の内部信号線を前記複数の接続線に接続するための接続部と、前記並び方向において前記第２端子部の外側に設けられ、前記複数の接続線の内の少なくとも一部に接続された複数の保護素子からなり、サージ電流を外部へ逃がすための保護素子列と、を含み、前記第１端子部及び前記第２端子部の内の一方は、１又は複数のインターホン子機からの複数の外部信号線を接続するための端子部であり、前記第１端子部及び前記第２端子部の内の他方は、他のインターホン親機からの複数の外部信号線を接続するための端子部であり、前記第１端子部と前記第２端子部の間の空間が配線空間として機能する、ことを特徴とするものである。
【００１０】
上記構成において、サブ基板はメイン基板とは別の端子基板として機能する。そのサブ基板が複数の保護素子を有している。落雷等に起因して、外部信号線を介して、サブ基板へサージ電流が進入してきた場合、そのサージ電流が保護素子を通過して親機外へ逃がされる。その場合に、メイン基板に接続された接続部が保護素子列から物理的に隔てられているので、サージ電流によるメイン基板への悪影響を幾分でも少なくできるものと考えられる。いずれにしても、上記構成によれば、メイン基板に含まれる電子回路をサージ電流から保護することが可能となる。
【００１１】
上記構成においては、第１端子部と第２端子部との間の空間に接続部や保護素子列は設けられておらず、その空間を配線空間として利用することが可能であるので、配線作業が容易化される。保護素子列が配線空間から隔てられているので、配線作業に際し、保護素子列に対して、不用意にも物理的な作用が及んでしまう可能性を低減できる。接続部への複数の内部信号線を接続する作業に際にも同様の利点を得られる。
【００１２】
複数の接続線の内の全部に対して複数の保護素子を接続することも可能であるが、コスト低減の観点からは、複数の接続線の内でより保護の必要性の高いものに対して、複数の保護素子を接続するのが望ましい。必要に応じて、電子回路内にサージ電流を外部へ逃がす保護素子を追加的に設けるようにしてもよい。
【００１３】
実施形態において、第１端子部及び第２端子部の内の一方が子機接続用として利用され、第１端子部及び第２端子部の内の他方が他の親機接続用として利用される。もっとも、第１端子部と第２端子部は並列接続関係にあるので、子機からの複数の外部信号線の一部を第１端子部に接続し、残りの一部を第２端子部に接続することも可能である。なお、第１端子部及び第２端子部の内で他の親機用の端子部は、他の親機が存在する場合において機能するものであり、他の親機が存在しない場合、予備的な又は未使用の端子部となる。複数の親機（親機に代わる監視装置等であってもよい）を接続するための複数の端子部を設けるようにしてもよい。
【００１４】
実施形態において、前記親機ケースは前側ケース及び後側ケースにより構成され、前記後側ケースに対して前記並び方向と直交する方向に並んだ第１サブ基板及び第２サブ基板が固定され、前記第１サブ基板及び前記第２サブ基板は、それぞれ、前記第１端子部、前記第２端子部、前記接続部及び前記保護素子列を有し、前記後側ケースは、前記第１サブ基板と前記第２サブ基板の間に外部信号線群を引き込むための開口を有し、前記第１サブ基板における前記第１端子部と前記第２端子部の間の空間、及び、前記第２サブ基板における前記第１端子部と前記第２端子部の間の空間が、それぞれ配線空間として機能する。
【００１５】
上記構成においては、後側ケースの開口を介して取り込まれた外部信号線群の内で一部が第１サブ基板へ導かれ、残りの一部が第２サブ基板へ導かれる。その場合において、いずれのサブ基板においても、その中間部に配線空間が確保されているので、配線作業が容易化される。上記構成によれば、配線作業に際して、インターホン親機を固定する構造体から後側ケースを取り外す必要がないので、それを行わなければならない場合に比べて、作業時の負担が軽減される。
【００１６】
実施形態において、前記１又は複数のインターホン子機からの複数の外部信号線、及び、前記他のインターホン親機からの複数の外部信号線には、それぞれ、複数の共通線と複数の専用線とが含まれ、前記第１サブ基板及び前記第２サブ基板の内の一方は、前記複数の共通線を接続するためのサブ基板であり、前記第１サブ基板及び前記第２サブ基板の内の他方は、前記複数の専用線を接続するためのサブ基板である。この構成によれば、インターホン親機の内部において、複数の共通線と複数の専用線とを空間的に分離できるので、配線上の混乱を防止できる。
【００１７】
実施形態において、前記第１のサブ基板に設けられた前記保護素子列、及び、前記第２のサブ基板に設けられた前記保護素子列は、それぞれ、前記並び方向に直交する方向に並んだ複数のバリスタによって構成される。この構成によれば、空き空間を活用して複数の保護素子を配置でき、インターホン親機の大型化を防止できる。
【００１８】
実施形態において、前記複数の内部信号線は、前記メイン基板における前記並び方向の一方側から引き出され、前記親機ケース内を前記並び方向に横断した上で、前記サブ基板における前記並び方向の他方側に設けられた前記接続部へ導かれている。
【００１９】
メイン基板の一方側とサブ基板の一方側の間に、弛みをもたせつつ、複数の内部信号線を配線すると、後側ケースへ前側ケースを取り付ける際に、複数の内部信号線がはみ出て、それらがケース間に挟まれ易くなる。上記構成によれば、複数の内部信号線の長さをある程度確保しつつも、挟み込み問題が生じることを軽減できる。複数の内部信号線が面状に分散化されるように配置すれば、複数の内部信号線が束状態となって２つの基板間に挟まってしまう問題を回避できる。
【００２０】
実施形態において、前記サブ基板には、前記接続部とは別に、選択的に接続される複数のレセプタクルが設けられ、前記メイン基板からの所定の内部信号線が接続されたプラグが差し込まれるレセプタクルに応じて、前記電子回路に対してオンオフ信号が与えられる。この構成によれば、サブ基板にディップスイッチ等を設けなくても、それと同等の機能をサブ基板に設けることが可能となる。
【００２１】
実施形態においては、前記後側ケースに対して前記前側ケースを取り付ける過程で前記後側ケースに対して前記前側ケースが前記直交する方向へスライドされ、前記後側ケースは、前記前側ケースに設けられたネジが差し込まれるネジ穴を有するボス本体と、前記ボス本体から前記直交する方向に突出した突出部と、を含み、前記前側ケースのスライド時に前記突出部の上面が前記ネジの先端を前記ネジ穴へ案内する。
【００２２】
実施形態においては、前記後側ケースに対して前記前側ケースを取り付ける過程で前記後側ケースに対して前記前側ケースが前記直交する方向へスライドされ、前記後側ケースは、前記直交する方向へ伸長した形態を有する支え構造を有し、前記支え構造は、前記前側ケースのスライド時において前記前側ケースに設けられたケーブルブッシングを支えてそのスライドを案内する。支え構造は例えばリブによって構成される。
【発明の効果】
【００２３】
本発明によれば、エレベーター用インターホン親機において、サージ電流からの保護を図ることができ、また、複数の外部信号線の接続作業の容易化を図れる。
【図面の簡単な説明】
【００２４】
【図１】実施形態に係るエレベーター用インターホンを示すブロック図である。
【図２】親機を示すブロック図である。
【図３】親機の外観を示す斜視図である。
【図４】親機の内部構造を示す分解斜視図である。
【図５】後側ケースを示す平面図である。
【図６】親機の第１断面図である。
【図７】親機の第２断面図である。
【図８】親機の部分的な構成を示す図である。
【図９】後側ケースに対する前側ケースの取り付け状態を示す図である。
【図１０】後側ケースに対する前側ケースのスライド状態を示す図である。
【発明を実施するための形態】
【００２５】
以下、実施形態を図面に基づいて説明する。
【００２６】
図１には、実施形態に係るエレベーター用インターホンがブロック図として示されている。エレベーター用インターホンは、ビル内のエレベーターに設けられるものであり、図示の例において、親機（インターホン親機）１０及び複数の子機（インターホン子機）１２，１４によって構成される。親機１０に対して、１つの子機（例えば子機１２）のみが接続されてもよい。また、１又は複数の子機（例えば子機１２，１４）に対して複数の親機１０，２２，２４が並列的に接続されてもよい。親機１０に対して例えば最大で４台の子機１２，１４を同時に接続することが可能である。本願明細書において挙げる数値はいずれも例示である。
【００２７】
親機１０は、図示の例において、ビルにおける管理人室１８内に設置されている。親機１０が機械室その他の場所に設置されてもよい。図示の例では、子機１２はエレベーターのかご１６内に設置されており、子機１４はエレベーターのかご１７内に設置されている。子機１２，１４と親機１０は信号線群２０，２１を介して接続されている。各信号線群２０，２１には、複数の共通線及び複数の専用線が含まれる。
【００２８】
複数の共通線には、例えば、プラス電源ライン、マイナス電源ライン（グラウンドライン）、及び、子機から親機への音声信号線ペア（平衡方式に従う信号線ペア）が含まれる。複数の専用線には、例えば、子機１２，１４から親機１０へ呼出信号を送るための信号線、及び、親機１０から子機１２，１４へ応答信号（選局信号）及び音声信号を送るための信号線、が含まれる。
【００２９】
例えば、かご１６内において、緊急事態等が生じた場合、かご１６内の乗客によって子機１２に接続された呼出釦が操作される。これにより、子機１２から親機１０へ呼出信号が出力され、その状態が保持される。親機１０において呼出信号が検知されると、ブザーが鳴動し、呼出に係る子機１２を特定するＬＥＤが点灯する。その後、管理者においてハンドセットを持ち上げると共に、子機１２に対応した選局釦を操作すると、親機１０から子機１２へ応答信号が出力される。応答信号が子機１２に入力されると、呼出信号の出力保持状態が終了し、その後、親機１０と子機１２との間で双方向通話が可能となる。
【００３０】
符号２６，２８で示されるように、落雷等に起因して、例えば、かご１６，１７から引き出されたテールケーブルの中にサージ電流が進入することが想定される。テールケーブルには信号線群２０，２１が含まれ、それを媒介として、サージ電流が親機１０へ到達することも想定される。実施形態に係る親機１０は、そのようなサージ電流を外部へ逃がす機能を備えている。それに関しては後に詳述する。
【００３１】
図２には、親機１０の構成がブロック図として示されている。親機１０は、図示の例において、メイン基板３０、第１サブ基板３２及び第２サブ基板３４を有する。なお、図２においては、第１サブ基板３２及び第２サブ基板３４については、それぞれにおける部品配置（レイアウト）が模式的に示されている。ｘ方向が親機１０の短手方向であり、ｙ方向が親機１０の長手方向である。
【００３２】
メイン基板３０は、基板本体（プリント基板）と、そこに搭載された電子回路３６と、を有する。電子回路３６は、選局回路、通話回路等を有する。メイン基板３０には、スピーカ３８及びマイク４０が接続されている。スピーカ３８及びマイク４０はハンドセットに組み込まれるものである。電子回路３６には、複数の選局釦及び複数のＬＥＤが接続されているが、それらについては図示省略されている。
【００３３】
第１サブ基板３２及び第２サブ基板３４は、それぞれ、端子基板として機能するものである。メイン基板３０と第１サブ基板３２との間には、信号線列（内部信号線列）５７及び信号線ペア（内部信号線ペア）５９が設けられている。
【００３４】
信号線列５７の一方端にはプラグ（差込部）４２ｂが設けられ、信号線列５７の他方端にはプラグ５６ｂが設けられている。プラグ４２ｂは、メイン基板３０に設けられたレセプタクル（受入部）４２ａに差し込まれる。これにより、それらが物理的かつ電気的に接続された状態となる。レセプタクル４２ａとプラグ４２ｂとにより接続部としてのコネクタ４２が構成される。レセプタクル４２ａに対してプラグ４２ｂは着脱可能である。一方、プラグ５６ｂは、第１サブ基板３２に設けられたレセプタクル５６ａに差し込まれる。レセプタクル５６ａとプラグ５６ｂとによりコネクタ５６が構成される。
【００３５】
信号線ペア５９の一方端にはプラグ４４ｂが設けられ、信号線ペア５９の他方端にはプラグ５８ｂが設けられている。プラグ４４ｂは、メイン基板３０に設けられたレセプタクル４４ａに差し込まれる。レセプタクル４４ａとプラグ４４ｂとによりコネクタ４４が構成される。一方、プラグ５８ｂは、第１サブ基板３２に設けられたレセプタクル５８ａ又はレセプタクル６０ａに選択的に差し込まれる。レセプタクル５８ａ，６０ａとプラグ５８ｂとによりコネクタ５８が構成される。レセプタクル５８ａは、例えば、２つの信号線の端部を開放状態とするものであり、レセプタクル６０ａは、例えば、２つの信号線の端部をショートさせるものである。プラグ５８ｂの差し込み先を選択することにより、電子回路３６に対して、オンオフ信号が与えられる。例えば、その信号によってブザーの音量が高又は低に切り替えられる。信号線ペア５９はそのような機能をもった特別なケーブルである。
【００３６】
メイン基板３０と第２サブ基板３４との間には、複数の信号線ペア（内部信号線ペア）８２，８４，８６，８８が設けられている。信号線ペア８２の一方端にはプラグ４８ｂが設けられ、信号線ペア８２の他方端はプラグ８０ｂに接続されている。信号線ペア８４の一方端にはプラグ５０ｂが設けられ、信号線ペア８４の他方端はプラグ８０ｂに接続されている。信号線ペア８６の一方端にはプラグ５２ｂが設けられ、信号線ペア８６の他方端はプラグ８０ｂに接続されている。信号線ペア８８の一方端にはプラグ５４ｂが設けられ、信号線ペア８８の他方端はプラグ８０ｂに接続されている。
【００３７】
メイン基板３０には、図示されるように、レセプタクル４８ａ，５０ａ，５２ａ，５４ａが設けられている。レセプタクル４８ａとプラグ４８ｂとによりコネクタ４８が構成され、レセプタクル５０ａとプラグ５０ｂとによりコネクタ５０が構成され、レセプタクル５２ａとプラグ５２ｂとによりコネクタ５２が構成され、レセプタクル５４ａとプラグ５４ｂとによりコネクタ５４が構成される。第２サブ基板３４にはレセプタクル８０ａが設けられており、そのレセプタクル８０ａには上記のプラグ８０ｂが差し込まれる。レセプタクル８０ａとプラグ８０ｂとによりコネクタ８０が構成される。
【００３８】
第１サブ基板３２について詳しく説明する。第１サブ基板３２は、基板本体、第１端子台６２、第２端子台６４、配線パターン２０６及びバリスタ列７０を有する。第１端子台６２は、ｙ方向に並んだ複数の第１端子を有する。複数の第１端子には、１又は複数の子機からの信号線列（外部信号線列）６６が接続される。第２端子台６４は、ｙ方向に並んだ複数の第２端子を有する。複数の第２端子には、他の親機からの信号線列（外部信号線列）６８が接続される。
【００３９】
配線パターン２０６は、複数の第１端子と複数の第２端子とを一対一の対応関係をもって並列接続するためのものであり、基板本体上に形成された複数の接続線（複数の導電ライン）によって構成される。複数の接続線はｙ方向に並んでおり、個々の接続線はｘ方向に伸長した形態を有する。複数の接続線は、プラス電源用の接続線（＋）、マイナス電源用の接続線（−）、子機から親機へ送られる音声信号を伝送するための一対の接続線（Ｌ１，Ｌ２）からなる。配線パターン２０６を構成する複数の接続線は、コネクタ５６、信号線列５７、及び、コネクタ４２を介して、電子回路３６に接続されている。
【００４０】
配線パターン２０６を構成する複数の接続線の内で一部の接続線には、保護素子列としてのバリスタ列７０が接続されている。具体的には、音声信号伝送用の一対の接続線（Ｌ１，Ｌ２）とマイナス電源ライン７２との間にバリスタ列７０が設けられている。バリスタ列７０は、図示の例において、ｙ方向に並んだ２つのバリスタ７４，７６により構成される。各バリスタ７４，７６は、一定電圧以上をもった電気信号（サージ電流）が生じた場合に導通状態となる電気的な素子である。
【００４１】
なお、複数の第２端子台を設けてもよい。例えば、第２端子台６４と並列接続された第２端子台７８を設けてもよい。その場合、例えば、第２端子台６４に対して２番目の親機が接続され、第２端子台７８に対して３番目の親機が接続される。いずれかの親機に代えて監視装置が接続されてもよい。
【００４２】
例えば、第１端子台６２における４つの第１端子には、１又は複数の子機に接続された４つの共通線が接続される。すなわち、信号線列６６は、プラス電源用の信号線（＋）、マイナス電源用の信号線（−）、及び、子機から親機への音声信号を伝送するための一対の信号線（Ｌ１，Ｌ２）により構成される。第２端子台６４における４つの第２端子には、他の親機が存在している場合において、他の親機からの４つの共通線が接続される。すなわち、信号線列６８は、プラス電源用の信号線（＋）、マイナス電源用の信号線（−）、及び、子機から親機への音声信号を伝送するための一対の信号線（Ｌ１，Ｌ２）により構成される。他の親機が存在していない場合、第２端子台６４には信号線が接続されず、それは実質的に機能しない。第１端子台６２と第２端子台６４の役割を入れ換えることも可能である。
【００４３】
次に、第２サブ基板３４について詳しく説明する。第２サブ基板３４は、基板本体、第１端子台９０、第２端子台９２、配線パターン２０８及びバリスタ列９８を有する。第１端子台９０は、ｙ方向に並んだ複数の第１端子を有する。複数の第１端子には、１又は複数の子機からの信号線列（外部信号線列）９４が接続される。第２端子台６４は、ｙ方向に並んだ複数の第２端子を有する。複数の第２端子には、他の親機からの信号線列（外部信号線列）９６が接続される。
【００４４】
配線パターン２０８は、複数の第１端子と複数の第２端子とを一対一の対応関係をもって並列接続するためのものであり、基板本体上に形成された複数の接続線（複数の導電ライン）によって構成される。複数の接続線はｙ方向に並んでおり、個々の接続線はｘ方向に伸長した形態を有する。複数の接続線は、親機１０から第１子機へ送られる応答信号及び音声信号が流れる接続線（１Ａ）、第１子機から親機１０へ送られる呼出信号が流れる接続線（１Ｂ）、親機１０から第２子機へ送られる応答信号及び音声信号が流れる接続線（２Ａ）、第２子機から親機１０へ送られる呼出信号が流れる接続線（２Ｂ）、親機１０から第３子機へ送られる応答信号及び音声信号が流れる接続線（３Ａ）、第３子機から親機１０へ送られる呼出信号が流れる接続線（３Ｂ）、親機１０から第４子機へ送られる応答信号及び音声信号が流れる接続線（４Ａ）、及び、第４子機から親機１０へ送られる呼出信号が流れる接続線（４Ｂ）、により構成される。配線パターン２０８を構成する複数の接続線は、コネクタ８０、複数の信号線ペア８２〜８８、及び、複数のコネクタ４８〜５４を介して、電子回路３６に接続されている。
【００４５】
配線パターン２０８を構成する複数の接続線の内で一部の接続線には保護素子列としてのバリスタ列９８が接続されている。具体的には、４つの接続線（１Ｂ，２Ｂ，３Ｂ，４Ｂ）とマイナス電源ライン７２との間にバリスタ列９８が設けられている。バリスタ列９８は、図示の例において、ｙ方向に並んだ４つのバリスタ１００〜１０６により構成される。各バリスタ１００〜１０６は、上記のように、一定電圧以上をもった電気信号（サージ電流）が生じた場合に導通状態となる電気的な素子である。
【００４６】
例えば、４台の子機が親機に接続される場合、第１端子台９０における８個の第１端子には、４台の子機に接続された８つの専用線が接続される。すなわち、接続線列９４は、親機１０から第１子機へ送られる応答信号及び音声信号を伝送する信号線（１Ａ）、第１子機から親機１０へ送られる呼出信号を伝送する信号線（１Ｂ）、親機１０から第２子機へ送られる応答信号及び音声信号を伝送する信号線（２Ａ）、第２子機から親機１０へ送られる呼出信号を伝送する信号線（２Ｂ）、親機１０から第３子機へ送られる応答信号及び音声信号を伝送する信号線（３Ａ）、第３子機から親機１０へ送られる呼出信号を伝送する信号線（３Ｂ）、親機１０から第４子機へ送られる応答信号及び音声信号を伝送する信号線（４Ａ）、及び、第４子機から親機１０へ送られる呼出信号を伝送する信号線（４Ｂ）、により構成される。親機１０に対して接続されている子機数に応じて、実際に機能する端子数が変動する。第２端子台９２における８つの第２端子には、他の親機が存在している場合において、他の親機からの８つの専用線が接続される。すなわち、接続線列９６は、他の親機からの８つの信号線（１Ａ，１Ｂ，２Ａ，２Ｂ，３Ａ，３Ｂ，４Ａ，４Ｂ）により構成される。もっとも、親機１０に対して接続されている子機数に応じて、実際に機能する端子数が変動する。
【００４７】
第１サブ基板３２と第２サブ基板３４はｙ方向に並んでおり、それらの間（符号３３を参照）から外部信号線群が親機１０内に取り込まれている。これに関しては、後に詳述する。
【００４８】
図示された構成例において、応答信号及び音声信号が流れる４つの接続線（１Ａ，２Ａ，３Ａ，４Ａ）とマイナス電源ライン７２との間に４つのバリスタを付加してもよい。実施形態においては、電子回路３６において、応答信号及び音声信号が流れる４つの経路には４つの選局回路が接続されており、具体的には、４つの経路上にはそれぞれ選局スイッチが設けられている。それらの選局スイッチは通常時においてオープン状態にある。４つの選局スイッチの非子機側は、それらに共通のバリスタ２００を介してマイナス電源ライン２０２に接続されている。仮に、呼出信号が流れる４つの経路のいずれかを介してサージ電流が電子回路３６内に入り込もうとしても、まずは選局スイッチにより、そのサージ電流が遮断され、選局スイッチを越えてサージ電流が入ってきても、それはバリスタ２００の作用によって外部へ逃がされる。
【００４９】
各子機と親機との間において、マイナス電源用の信号線は、ビル内の導電性構造体に電気的に接続されている。すなわち、マイナス電源用の信号線がグラウンドに相当する。いずれかのバリスタを通じてマイナス電源用の信号線へ流されたサージ電流は最終的にはビル内の導電性構造体に流れ込む。
【００５０】
図３には、親機１０の外観が示されている。親機１０は親機本体１１０とハンドセット１１２とにより構成され、それらはケーブル１１４によって接続されている。
【００５１】
図４には、親機本体１１０の内部構造が分解斜視図として示されている。ｘ方向が短手方向であり、ｙ方向が長手方向であり、それらに直交する方向がｚ方向である。前側ケース１１６と後側ケース１１８とによって親機ケースが構成される。前側ケース１１６にはメイン基板３０が取り付けられている。メイン基板３０からケーブル１１４が引き出されており、その途中には樹脂等からなるブッシング１２０が設けられている。ブッシング１２０は２つのケース１１６，１１８によって挟まれる部材である。
【００５２】
後側ケース１１８には第１サブ基板３２及び第２サブ基板３４が取り付けられる。具体的には、後側ケース１１８はｘｙ方向に広がった背面版を有し、その背面板の内面における第１部分１２６及び第２部分１２８に対し、第１サブ基板３２及び第２サブ基板３４が取り付けられている。後側ケース１１８において、第１部分１２６と第２部分１２８との間には開口１３０が形成されている。それは外部信号線群を引き込むための通路として機能する。背面板の外面（親機の背面）が監視盤、壁面その他の構造体に取り付けられる。
【００５３】
メイン基板３０には、信号線列５７が接続され、その端部にはプラグ５６ｂが設けられている。また、メイン基板３０には、信号線ペア５９が接続され、その端部にはプラグ５８ｂが設けられている。一方、第１サブ基板３２にはレセプタクル５６ａ，５８ａ，６０ａが設けられている。レセプタクル５６ａにはプラグ５６ｂが差し込まれる。レセプタクル５８ａ及びレセプタクル６０ａのいずれか一方にプラグ５８ｂが差し込まれる。第１サブ基板３２は、第１端子台６２、第２端子台６４，７８、及び、バリスタ列７０を有している。
【００５４】
メイン基板３０には、複数の信号線ペア（符号１２２を参照）が接続されており、それらの端部はプラグ８０ｂに接続されている。一方、第２サブ基板には、レセプタクル８０ａが設けられており、そのレセプタクル８０ａに対してプラグ８０ｂが差し込まれる。第２サブ基板３４には、第１端子台９０、第２端子台９２、及び、バリスタ列９８が設けられている。
【００５５】
後側ケース１１８にはネジ止め用のボス１３２が設けられている。ボス１３２の開口１３０側は部分的にｙ方向に突出し、突出部が構成されている。後側ケース１１８に対してそれを覆うように前側ケース１１６を組み付けた上で、後側ケース１１８に対して前側ケース１１６をスライドさせる過程において、突出部の上面がネジ先端を受けてそれをスライドさせる台座面として機能する。これに関しては後述する。また、後側ケース１１８には、一対のリブ１３４が設けられている。各リブ１３４は、ｙ方向に伸長した形態を有する。後側ケース１１８に対してそれを覆うように前側ケース１１６を組み付けた状態において、ブッシング１２０が一対のリブ１３４によって支えられ、上記スライドの際においてブッシング１２０が後側ケースの枠に引っ掛かることが防止されている。これに関しても後述する。
【００５６】
図５には、後側ケース１１８の正面が示されている。後側ケース１１８内には、ｙ方向に離間しつつ並んだ第１サブ基板３２及び第２サブ基板３４が取り付けられている。既に説明したように、第１サブ基板３２は、ｘ方向に並んだ第１端子台６２及び第２端子台６４を有する。第１端子台６２及び第２端子台６４はそれぞれｙ方向に並んだ複数の端子を有し、各端子台６２，６４はｙ方向に伸長した形態を有する。第１端子台６２及び第２端子台６４はｙ方向に対して平行である。ｘ方向において第１端子台６２の外側（第２端子台６４とは反対側）にはレセプタクル５６ａが設けられ、また、レセプタクル６８ａ，６０ａも設けられている。それらはｙ方向に一列に並んでいる。ｘ方向において第２端子台の外側（第１端子台６２とは反対側）にはバリスタ列７０が設けられている。バリスタ列７０はｙ方向に一列に並んだ複数のバリスタにより構成される。
【００５７】
第１端子台６２及び第２端子台６４の外側にレセプタクル５６ａやバリスタ列７０が配置されているので、第１端子台６２と第２端子台６４の間に配線空間１３６を確保することが可能である。これにより、符号１４０ａ，１４０ｂで示すように、開口１３０を介して引き込まれた複数の外部信号線を第１端子台６２及び第２端子台６４に接続する場合において、その作業が容易化される。同時に、第１端子台６２及び第２端子台６４の外側に存在しているスペースを有効活用することが可能である。第２端子台６４の外側にバリスタ列７０が設けられているので、配線作業やプラグ接続作業において、バリスタ列７０に対して不用意に外力が及んでしまうことを防止又は軽減できる。すなわち、電子部品としてのバリスタ列７０を保護できる。
【００５８】
バリスタ列７０は、メイン基板から分離された端子基板としての第１サブ基板３２に設けられており、サージ電流の入口においてそれを外部へ逃がす作用を発揮するので、電子回路への影響を最小限にすることが可能である。
【００５９】
一方、第２サブ基板３４は、既に説明したように、ｘ方向に並んだ第１端子台９０及び第２端子台９２を有する。第１端子台９０及び第２端子台９２はそれぞれｙ方向に並んだ複数の端子を有し、各端子台９０，９２はｙ方向に伸長した形態を有する。第１端子台９０及び第２端子台９２はｙ方向に対して平行である。ｘ方向において第１端子台９０の外側（第２端子台９２とは反対側）にはレセプタクル８０ａが設けられている。ｘ方向において第２端子台９２の外側（第１端子台９０とは反対側）にはバリスタ列９８が設けられている。バリスタ列９８はｙ方向に一列に並んだ複数のバリスタにより構成される。
【００６０】
第２サブ基板３４によれば第１サブ基板３２と同様の作用効果を得られる。具体的には、第１端子台９０及び第２端子台９２の外側にレセプタクル８０ａ及びバリスタ列９８が配置されているので、第１端子台９０と第２端子台９２の間に配線空間１３８を確保することが可能である。これにより、符号１４０ｃ，１４０ｄで示すように、開口１３０を介して引き込まれた複数の外部信号線を第１端子台９０及び第２端子台９２に接続する場合において、その作業が容易化される。同時に、第１端子台９０及び第２端子台９２の外側に存在しているスペースを有効活用することが可能である。第２端子台９２の外側にバリスタ列９８が設けられているので、配線作業やプラグ接続作業において、バリスタ列９８に対して不用意に外力が及んでしまうことを防止又は軽減できる。バリスタ列９８は、メイン基板から分離された端子基板としての第２サブ基板３４に設けられており、サージ電流の入口においてそれを外部へ逃がす作用を発揮するので、電子回路への影響を最小限にすることが可能である。
【００６１】
また、実施形態においては、第１サブ基板３２に対して複数の共通線が接続され、第２サブ基板３４に対して複数の専用線が接続されるので、配線上の誤認を防止することが可能となる。
【００６２】
図５におけるＡ−Ａ’断面が図６に示されている。図５におけるＢ−Ｂ’断面が図７に示されている。図６において、親機本体１１０は、前側ケース１１６及び後側ケース１１８を有し、それらによって構成される親機ケースの内部には、メイン基板３０が配置され、その後側に第２サブ基板３４が配置されている。第２サブ基板３４上には第１端子台９０及び第２端子台９２が設けられ、また、レセプタクル８０ａ及びバリスタ列９８が設けられている。
【００６３】
メイン基板３０の一方側（ｘ方向の一方端側）から出た内部信号線列１４４は、親機ケースを横断して（図６において左側から右側へ横断して）、親機ケース内の他方側まで導かれている。内部信号線列１４４の端部にはプラグ８０ｂが設けられ、そのプラグ８０ｂがレセプタクル８０ａに結合されている。仮に、内部信号線列１４４を第２サブ基板３４（及び第１サブ基板）の一方側に接続した場合、後側ケース１１８に対して前側ケース１１６を重ね合わせる際に、内部信号線列１４４における弛み部分が２つのケース１１６，１１８に挟まれ易くなる。それを防止するために、内部信号線列１４４を短くするならば、ケーブル接続状態において後側ケース１１８から前側ケース１１６をあまり離せなくなり、作業性が悪くなる。
【００６４】
これに対し、実施形態によれば、内部信号線列１４４の長さをある程度確保しつつも、後側ケース１１８に対して前側ケース１１６を重ね合わせる際に、内部信号線列１４４が２つのケース１１６，１１８に挟まれ難くなる。以上においては、第２サブ基板３４に接続されている内部信号線列１４４について説明したが、第１サブ基板３２に接続されている内部信号線列についても、上記のクロス配線を採用することにより、上記同様の作用効果を得られる。また、図７に示されているように、複数の信号線ペアを長手方向（ｙ方向）に分散させれば、後側ケース１１８に対して前側ケース１１６を重ね合わせる際に、複数の信号線ペアが束状態になることを防止できる。
【００６５】
以上のように、実施形態に係るエレベーター用インターホン親機は、それ自身を電気的に保護する機能を備えており、しかも配線作業を容易化できるものである。更には、上記のような幾つかの実用的価値を備えている。
【００６６】
図８において、（Ａ）は後側ケース１１８の一部を示すものである。後側ケース１１８には、上記のように、ボス１３２及び一対のリブ１３４が設けられている。（Ｂ）は、ボス１３２の拡大図であり、それは円筒状のボス本体１３２ａとそこから突出した突出部１３２ｂとを有する。ボス本体１３２ａにはネジを受け入れるネジ穴１３４ｃが設けられている。ここで、ネジは前側ケースと後側ケースとを結合するための部材である。２つのケースの結合時には、最初に２つのケースが若干ずれた状態で重ね合わせられ（第１段階）、次に前側ケースがスライドされる（第２段階）。第１段階においては、（Ｂ）に示すように、ネジ１４６の先端が突出部１３２ｂの上面に突き当たり、第２段階のスライド時において、ネジ１４６の先端は符号１４８で示すように上面に沿って運動し、最終的にネジ穴１３４ｃに落とし込まれる。仮に、突出部１３２ｂが無ければ、ネジ１４６の先端がボス本体１３２ａの側面に引っ掛かることになるが、上記構成によれば、そのような引っ掛かりを防止できる。
【００６７】
（Ｃ）には、一対のリブ１３４の上面が示されている。一対のリブ１３４は具体的にはリブ１３４ａとリブ１３４ｂにより構成される。ブッシング１２０は、肥大したブロック部分１２０ａとテーパー状の部分１２０ｂとにより構成される。上記の第１段階においては、ブロック部分１２０ａの下面がリブ１３４の上面によって支えられる。上記の第２段階においては、リブ１３４の上面に沿ってブロック部分１２０ａが水平運動する。リブ１３４の上面レベルと枠１５０の上面レベルとが一致しているので、水平運動時において、ブロック部分１２０ａが枠１５０に引っ掛かることはない。すなわち、リブ１３４という簡易な構成で、ブッシング１２０の引っ掛かりを防止することが可能である。上記の突出部１３２ｂと相俟って、組立作業性を良好にすることが可能である。
【００６８】
なお、図９には上記の第１段階が示されており、すなわち、後側ケース１１８へ前側ケースを組み付ける過程が示されている。その際には、後側ケース１１８に設けられた爪部材が前側ケース１１６に設けられたフック部材に緩やかに引っ掛けられる。図１０には上記の第２段階が示されており、すなわち、後側ケース１１８に対して前側ケース１１６をスライドさせて両者を正規の位置関係に整合させる段階が示されている。
【符号の説明】
【００６９】
１０，２２，２４  親機、１２，１４  子機、３０  メイン基板、３２  第１サブ基板、３４  第２サブ基板、３６  電子回路、６２，９０  第１端子台、６４，９２  第２端子台、７４，９８  バリスタ列。
【図１】
2020031340.tif 000003
【図２】
2020031340.tif 000004
【図３】
2020031340.tif 000005
【図４】
2020031340.tif 000006
【図５】
2020031340.tif 000007
【図６】
2020031340.tif 000008
【図７】
2020031340.tif 000009
【図８】
2020031340.tif 000010
【図９】
2020031340.tif 000011
【図１０】
2020031340.tif 000012